(57)【要約】      （修正有）【課題】安全な切割尺を提供する。【解決手段】尺本体の一側辺に保護片２を枢設し、度量工具とする時、保護片２を尺本体上に平置する。尺を切割の補助工具とする時、保護片２を一角度に起立して、尺本体を押さえる手を遮蔽して、怪我するのを防止する。尺本体上に、更に、固定構造を設置して、保護片２を平置状態に固定するか、或いは、起立傾斜状態に固定する。この他、保護片２は、一体成型で、尺本体の一辺に固定して、傾斜してもよい。【選択図】図３
0003143912.tif 000002
【実用新案登録請求の範囲】
【請求項１】
安全な切割尺であって、
相対する両側に位置する第一辺と第二辺を有し、上面に長さを度量する目盛りを有し、前記第一辺は上向けに突起した停止素子を有し、複数のフックと凹槽を有する尺本体と、
一辺が固定座を設置し、前記固定座は前記尺本体上の凹槽に枢設され、前記尺本体上に平置されると共に、前記フックにより側辺に固定されるか、或いは、前記尺本体で起立して、前記停止素子の制限を受け、前記固定座により、前記凹槽に抵接して、一傾斜角度をなし、上面に長さを度量する目盛りを有する保護片と、
からなることを特徴とする安全な切割尺。
【請求項２】
前記停止素子の上辺と前記尺本体の上面の間に、複数の傾斜した延長片を有し、各延長片上に、第一隆起部と第二隆起部を有し、前記保護片は、前記延長片を穿過し、前記第一隆起部と前記第二隆起部と干渉を生成する複数の槽孔を設置し、前記保護片が前記尺本体に平置される時、前記槽孔は前記第一隆起部により定位され、前記保護片が起立する時、前記槽孔は前記第二隆起部により定位することを特徴とする請求項１に記載の安全な切割尺。
【請求項３】
安全な切割尺であって、
相対する両側に位置する第一辺と第二辺を有し、前記第一辺は、一体成型で、固定、且つ、傾斜した保護片を有し、前記尺本体と前記保護片上に、長さを度量する目盛りを有することを特徴とする安全な切割尺。
【考案の詳細な説明】
【技術分野】
【０００１】
本考案は、長さを度量する尺に関するものであって、特に、尺を切割補助工具とする時、使用者の手部を怪我から守る切割尺に関するものである。
【背景技術】
【０００２】
尺は、日常的に使用される工具で、製図、線引き、設計、包装、或いは、紙の切断に用いられる。特に、包装、或いは、紙の切断において、尺を用いる以外に、美術刀やその他の工具を合わせて使用する。しかし、現在、安全に使用できる切割専用の尺がないので、切割時、不注意により、手を怪我することがよくある。  
【考案の開示】
【考案が解決しようとする課題】
【０００３】
本考案の目的は、尺を切割補助工具とする時に使用者の手部を怪我から守る新規の尺設計を提供することにある。
【課題を解決するための手段】
【０００４】
本考案は、保護片を有する安全切割尺を提供し、切割時、保護片により、使用者の尺を押さえる手を遮蔽して、安全効果を達成する。    
【０００５】
本考案の保護片を有する安全切割尺は、本体上に設置された保護片が枢接して、起立したり平坦になったり、尺本体上で傾斜状態をなすことができる。
【考案の効果】
【０００６】
本考案の保護片を有する安全切割尺は、切割時、保護片により使用者の尺を押さえる手を遮蔽して、安全効果を達成する。
【考案を実施するための最良の形態】
【０００７】
図１〜図３は、本考案の安全切割尺の第一実施例を示す図で、尺本体１と保護片２とからなる。尺本体１は、実際の需要に応じて、適当な長さに設計され、相対する長辺は、それぞれ、第一、第二辺で、尺本体１の第一辺は、上方に突起する停止素子３を設置する。停止素子３の好ましい実施例は、尺本体１の長さと同じであるが、尺本体１より短くてもよい。少なくとも、尺本体１上、更には、停止素子３上に、長さを度量する目盛りを設置する。
【０００８】
保護片２は、適当な長さの片状体で、一辺は、尺本体１上面の第一辺に近いところに枢設され、保護片２は尺本体１に対し回転し、尺本体１に平置されるか、或いは、尺本体１から起立して一角度をなす。保護片２が起立する時、停止素子３により、極限の最大角度位置に制限される。本考案の好ましい実施例において、保護片２の起立最大角度は６５度〜７５度である。
【０００９】
図３で示されるように、第一実施例の切割尺は、切割作業に使用されるとき、保護片２を起立させ、その後、手で尺本体１を押さえ、保護片２の内側に配置し、保護片２により、手を遮蔽して、もう一つの手で刀具を尺本体の第一辺に沿って移動させて、切割を実行するので、手部を損傷することが絶対ない。
【００１０】
図４〜図６は、本考案の安全切割尺の第二実施例を示す図で、尺本体１と保護片２からなり、尺本体１の第一辺は同様に、上方に突起する停止素子３を設置し、停止素子３の上辺と尺本体１の上面の間に、傾斜した複数の延長片４を連接する。各延長片４は第一隆起部４１と第二隆起部４２を設置し、保護片２は、延長片４を穿過し、第一隆起部４１と第二隆起部４２と干渉を生成する複数の槽孔２１を設置する。保護片２が尺本体１に平置される時、槽孔２１は第一隆起部４１により定位され（図４で示される）、保護片が揺動するのを防止する。保護片２が最大角度に起立する時、槽孔２１は第二隆起部４２により定位する（図５で示される）。同様に、切割作業に使用する時、まず、保護片２を起立して定位後、手で尺本体１を押さえ、手は、保護片２の遮蔽保護を受け、もう一つの手で刀具を操作して、尺本体の第一辺に沿って切割を実行する（図６で示される）。
【００１１】
図７〜図１０は、本考案の安全切割尺の第三実施例を示す図で、尺本体１と保護片２からなり、この尺本体１は、前述の停止素子３がなく、保護片２の一辺が、直接、尺本体１の第一辺に近接する上面に枢接され、尺本体１の中間に近い位置に、複数のフック５を設置する。保護片２の起立時、保護片２の下辺により、尺本体１を抵接して、最大起立角度を得て（図８と図１０で示される）、保護片２が尺本体に平置される時、フック５により、保護片２の辺縁を固定し（図７と図９で示される）、保護片を固定して、揺動させない。尺本体１と保護片２上に、長さを度量する目盛りを設置してもよい。保護片２の起立最大角度は、６５〜７５度である。
【００１２】
図１１、図１２は、本考案の安全切割尺の第四実施例を示す図で、尺本体１と保護片２からなり、この尺本体１は、前述の停止素子３がないが、尺本体１の第一辺に近い位置に、凹槽１１を設置し、保護片２の一辺は固定座２２を設置し、固定座２２を凹槽１１内に枢接する。尺本体１の中間に近い位置に複数のフック５を有する。保護片２起立時、保護片２下辺の固定座２２により、尺本体１の凹槽１１を抵接して、最大起立角度を得て（図１２で示される）、保護片２が尺本体に平置される時、フック５により、保護片２の辺縁を固定して（図１１で示される）、保護片を固定して、揺動しない。保護片２の起立最大角度は６５〜７５度である。
【００１３】
図１３は、本考案の安全切割尺の第五実施例を示す図で、一体成型により、直接、尺本体１の第一辺上面に傾斜した保護片２Aを連接し、保護片２Aの好ましい傾斜角度は６５〜７５度で、尺本体１と保護片２A上に長さを度量する目盛りを有する。      
【図面の簡単な説明】
【００１４】
【図１】本発明の第一実施例による保護片の平置時の状態を示す立体図である。
【図２】本考案の第一実施例による保護片の起立時の状態を示す立体図である。
【図３】本考案の第一実施例による保護片を起立させて、切割工程の手を保護する立体図である。
【図４】本発明の第二実施例による保護片の平置時の状態を示す立体図である。
【図５】本考案の第二実施例による保護片の起立時の状態を示す立体図である。
【図６】本考案の第二実施例による保護片を起立させて、切割工程の手を保護する立体図である。
【図７】本発明の第三実施例による保護片の平置時の状態を示す立体図である。
【図８】本考案の第三実施例による保護片の起立時の状態を示す立体図である。
【図９】本発明の第三実施例による保護片の平置時の状態を示す平面図である。
【図１０】本考案の第三実施例による保護片の起立時の状態を示す平面図である。
【図１１】本発明の第四実施例による保護片の平置時の状態を示す平面図である。
【図１２】本考案の第四実施例による保護片の起立時の状態を示す平面図である。
【図１３】本考案の第五実施例による構造の立体図である。
【符号の説明】
【００１５】
１  尺本体
１１  凹槽
２  保護片
２A  保護片
２１  槽孔
２２  固定座
３  停止素子
４  延長片
４１  第一隆起部
４２  第二隆起部
５  フック
【図１】
0003143912.tif 000003
【図２】
0003143912.tif 000004
【図３】
0003143912.tif 000005
【図４】
0003143912.tif 000006
【図５】
0003143912.tif 000007
【図６】
0003143912.tif 000008
【図７】
0003143912.tif 000009
【図８】
0003143912.tif 000010
【図９】
0003143912.tif 000011
【図１０】
0003143912.tif 000012
【図１１】
0003143912.tif 000013
【図１２】
0003143912.tif 000014
【図１３】
0003143912.tif 000015